【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
コンピュータで実現され、生産印刷ワークフローを表現し制御するインタフェースにおいて、
ディスプレイと、
ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上で第一の視覚的表現と関連付けられる、第一のドキュメント・オブジェクトと、
グローバルなドキュメント属性を表現するドキュメント・チケット・オブジェクトであって、前記ドキュメント・チケット・オブジェクトは前記ディスプレイ上で第二の視覚的表現と関連付けられ、前記第一のドキュメント・オブジェクトと関連付けられることもできる、ドキュメント・チケット・オブジェクトと、
前記少なくとも１ページの中の１ページのページ属性を表現するページ・オブジェクトであって、前記ページ・オブジェクトは前記ディスプレイ上で第三の視覚的表現と関連付けられ、前記第一のドキュメント・オブジェクトと関連付けられることもできる、ページ・オブジェクトと、
前記第一、第二、第三の視覚的表現の少なくとも二つを選択的に関連付ける第一のユーザ入力デバイスとを備え、
前記第一、第二、第三の視覚的表現を関連付けることで前記それぞれのオブジェクトを関連付けることになるインタフェース。
【請求項２】
コンピュータで実現され、生産印刷ワークフローを表現し制御するインタフェースにおいて、
ディスプレイと、
ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上で第一の視覚的表現と関連付けられる、第一のドキュメント・エンティティと、
グローバルなドキュメント属性を表現するドキュメント・チケット・エンティティであって、前記ドキュメント・チケット・エンティティは前記ディスプレイ上で第二の視覚的表現と関連付けられ、前記第一のドキュメント・エンティティと関連付けられることもできる、ドキュメント・チケット・エンティティと、
前記少なくとも１ページの中の１ページのページ属性を表現するページ・エンティティであって、前記ページ・エンティティは前記ディスプレイ上で第三の視覚的表現と関連付けられ、前記第一のドキュメント・エンティティと関連付けられることもできる、ページ・エンティティと、
前記第一、第二、第三の視覚的表現の少なくとも二つを選択的に関連付ける第一のユーザ入力デバイスとを備え、
前記第一、第二、第三の視覚的表現を関連付けることで前記それぞれのエンティティを関連付けることになるインタフェース。
【請求項３】
生産印刷ワークフローの制御方法において、
（ａ）ドキュメントの第一の視覚的表現をディスプレイに表示し、
（ｂ）前記ドキュメントと関連付けられることができるグローバルなドキュメント属性の第二の視覚的表現を前記ディスプレイ上に表示し、
（ｃ）前記第一の視覚的表現を前記第二の視覚的表現と選択的に関連付け、
（ｄ）（ｃ）に基づき、前記グローバルなドキュメント属性を前記ドキュメントに適用するように、前記グローバルなドキュメント属性を前記ドキュメントにリンクすることを備える、制御方法。
【請求項４】
生産印刷ワークフローをインタフェースし制御するシステムにおいて、
内容と前記内容をフォーマッティングするフォーマッティング指令を受け取る手段で、前記フォーマッティング指令は前記内容を１ページまたはそれを越えるページに細分する指令手段を含む、受け取り手段と、
出力デバイスへの前記内容の出力を制御する出力指令を受け取る手段と、
ディスプレイ上に第一の操作可能なオブジェクトとして、前記内容と前記フォーマッティング指令を表現する手段と、
前記ディスプレイ上に第二の操作可能なオブジェクトとして、前記出力指令を表現する手段と、
前記出力指令を前記内容とフォーマッティング指令に関連付けるために、前記第一の操作可能なオブジェクトを前記第二の操作可能なオブジェクトに選択的に関連付ける手段と、
前記ディスプレイ上に第三の操作可能なオブジェクトとして、前記関連付けを表現する手段。
【手続補正２】
【補正対象書類名】明細書
【補正対象項目名】００５８
【補正方法】変更
【補正の内容】
【００５８】
したがって、上記の詳細な記述は限定するものではなく実例として見なされることを意図し、そして、本発明の趣旨と範囲を定義するように意図されたのは、すべての相当物を含む、後述の請求項であることは理解されることを意図している。本実施形態において、以下の態様を含むことを付記しておく。
（第１）
コンピュータで実現され、生産印刷ワークフローを表現し制御するインタフェースにおいて、ディスプレイと、ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上で第一の視覚的表現と関連付けられる、第一のドキュメント・オブジェクトと、グローバルなドキュメント属性を表現するドキュメント・チケット・オブジェクトであって、前記ドキュメント・チケット・オブジェクトは前記ディスプレイ上で第二の視覚的表現と関連付けられ、前記第一のドキュメント・オブジェクトと関連付けられることもできる、ドキュメント・チケット・オブジェクトと、前記少なくとも１ページの中の１ページのページ属性を表現するページ・オブジェクトであって、前記ページ・オブジェクトは前記ディスプレイ上で第三の視覚的表現と関連付けられ、前記第一のドキュメント・オブジェクトと関連付けられることもできる、ページ・オブジェクトと、前記第一、第二、第三の視覚的表現の少なくとも二つを選択的に関連付ける第一のユーザ入力デバイスとを備え、前記第一、第二、第三の視覚的表現を関連付けることで前記それぞれのオブジェクトを関連付けることになるインタフェース。
（第２）
前記インタフェースはさらにグラフィック・ユーザ・インタフェースを備える、（第１）に記載のインタフェース。
（第３）
前記第一のユーザ入力デバイスはポインティング・デバイスを含む、（第１）に記載のインタフェース。
（第４）
前記第一、第二、第三の視覚的表現の関連付けは、前記ディスプレイ上で視覚的に表現される、（第１）に記載のインタフェース。
（第５）
前記関連付けは前記ディスプレイ上で階層的な形式で表現される、（第４）に記載のインタフェース。
（第６）
前記第一、第二、第三の視覚的表現の関連付けは、視覚的関連付けを含む、（第１）に記載のインタフェース。
（第７）
前記第一のドキュメント・オブジェクト、前記ページ・オブジェクト、前記ドキュメント・チケット・オブジェクトの関連付けは、論理的な関連付けを含む、（第１）に記載のインタフェース。
（第８）
前記ドキュメント・チケット・オブジェクトと前記第一のドキュメント・オブジェクトとの前記関連付けは、前記グローバルなドキュメント属性を前記第一のドキュメント・オブジェクトの前記ドキュメントに適用されるように操作することができる、（第１）に記載のインタフェース。
（第９）
前記ページ・オブジェクトと前記第一のドキュメント・オブジェクトの前記ドキュメントの少なくとも１ページの中の１ページとの前記関連付けは、前記ページ属性を前記少なくとも１ページの中の前記１ページに適用されるように操作することができる、（第１）に記載のインタフェース。
（第１０）
前記第一のドキュメント・オブジェクトの少なくとも一つと前記ドキュメント・チケット・オブジェクトの少なくとも一つとの関連付けを表現するジョブ・オブジェクトで、前記ジョブ・オブジェクトは前記ディスプレイ上で第四の視覚的表現と関連付けられている、ジョブ・オブジェクトをさらに備える、（第１）に記載のインタフェース。
（第１１）
前記ジョブ・オブジェクトは、前記第一のドキュメント・オブジェクトの前記少なくとも一つおよび前記ドキュメント・チケット・オブジェクトの前記少なくとも一つと、前記ページ・オブジェクトの少なくとも一つとの関連付けをさらに表現する、（第１０）に記載のインタフェース。
（第１２）
前記ジョブ・オブジェクトは、ドキュメント生産を制御するように操作できるジョブ属性をさらに含む、（第１０）に記載のインタフェース。
（第１３）
前記第四の視覚的表現をユーザが操作すると、前記関連付けられたオブジェクトも操作される、（第１０）に記載のインタフェース。
（第１４）
前記ユーザの操作には、切り取り、コピー、貼り付け、記憶、削除、印刷からなる群から選択された動作が含まれる、（第１３）に記載のインタフェース。
（第１５）
一連の順序づけられた、ドキュメント生産動作を表現するワークフロー・オブジェクトで、前記ワークフロー・オブジェクトは前記ディスプレイ上で第四の視覚的表現と関連付けられ、前記第一のドキュメント・オブジェクトと関連付けされることができる、ワークフロー・オブジェクトをさらに備える、（第１）に記載のインタフェース。
（第１６）
前記ワークフロー・オブジェクトは、前記第一のドキュメント・オブジェクトと前記ドキュメント・チケット・オブジェクトとの関連付けと、関連付けることがさらにできる、（第１５）に記載のインタフェース。
（第１７）
前記ワークフロー・オブジェクトと前記第一のドキュメント・オブジェクトとの関連付けにより、前記第一のドキュメント・オブジェクトでの前記ドキュメントに関して、前記ドキュメント生産動作の実行が行われる、（第１５）に記載のインタフェース。
（第１８）
前記ページ属性には、注釈付け、組付け、媒体の種類、媒体のソース、媒体の特性、両面か片面か(plex)、装丁、マスキングからなる群から選択された属性を含む、（第１）に記載のインタフェース。
（第１９）
前記グローバルなドキュメント属性には、注釈付け、組付け、媒体の種類、媒体のソース、媒体の特性、両面か片面か(plex)、装丁、マスキングからなる群から選択された属性を含む、（第１）に記載のインタフェース。
（第２０）
前記ページ・オブジェクトを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページオブジェクトを生成し、それを、前記少なくとも１ページの中の１ページまたはそれを越えるページの各々と前記対応するドキュメント・オブジェクトに関連付ける、第二のユーザ入力デバイスをさらに備える、（第１）に記載のインタフェース。
（第２１）
前記第二のユーザ入力デバイスには、前記ディスプレイ上に表現され、前記第一のユーザ入力デバイスと結合するメニューを含む、（第２０）に記載のインタフェース。
（第２２）
前記第二のユーザ入力デバイスには、前記ディスプレイ上に表現され、前記第一のユーザ入力デバイスと結合するダイアローグ・ボックスを含む、（第２０）に記載のインタフェース。
（第２３）
前記第二のユーザ入力デバイスは、前記少なくとも１ページの中の前記１ページまたはそれを越えるページの第四の視覚的表現の上に前記第三の視覚的表現をドラッグ・アンド・ドロップすることで前記選択を可能にするようにさらに動作させることができる、（第２０）に記載のインタフェース。
（第２４）
前記ドキュメントはプリンタ用ファイル形式で符号化されている、（第１）に記載のインタフェース。
（第２５）
前記プリンタ用ファイル形式は、ポータブル・ドキュメント・フォーマット、ポストスクリプト、そしてプリンタ制御言語からなる群から選択された形式である、（第２４）に記載のインタフェース。
（第２６）
コンピュータで実現され、生産印刷ワークフローを表現し制御するインタフェースにおいて、ディスプレイと、ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上で第一の視覚的表現と関連付けられる、第一のドキュメント・エンティティと、グローバルなドキュメント属性を表現するドキュメント・チケット・エンティティであって、前記ドキュメント・チケット・エンティティは前記ディスプレイ上で第二の視覚的表現と関連付けられ、前記第一のドキュメント・エンティティと関連付けられることもできる、ドキュメント・チケット・エンティティと、前記少なくとも１ページの中の１ページのページ属性を表現するページ・エンティティであって、前記ページ・エンティティは前記ディスプレイ上で第三の視覚的表現と関連付けられ、前記第一のドキュメント・エンティティと関連付けられることもできる、ページ・エンティティと、前記第一、第二、第三の視覚的表現の少なくとも二つを選択的に関連付ける第一のユーザ入力デバイスとを備え、前記第一、第二、第三の視覚的表現を関連付けることで前記それぞれのエンティティを関連付けることになるインタフェース。
（第２７）
前記インタフェースはさらにグラフィック・ユーザ・インタフェースを備える、（第２６）に記載のインタフェース。
（第２８）
前記第一のユーザ入力デバイスはポインティング・デバイスを含む、（第２６）に記載のインタフェース。
（第２９）
前記第一、第二、第三の視覚的表現の関連付けは、前記ディスプレイ上で視覚的に表現される、（第２６）に記載のインタフェース。
（第３０）
前記関連付けは前記ディスプレイ上で階層的な形式で表現される、（第２９）に記載のインタフェース。
（第３１）
前記第一、第二、第三の視覚的表現の関連付けは、視覚的関連付けを含む、（第２６）に記載のインタフェース。
（第３２）
前記第一のドキュメント・エンティティ、前記ページ・エンティティ、前記ドキュメント・チケット・エンティティの関連付けは、論理的な関連付けを含む、（第２６）に記載のインタフェース。
（第３３）
前記ドキュメント・チケット・エンティティと前記第一のドキュメント・エンティティとの前記関連付けは、前記グローバルなドキュメント属性を前記第一のドキュメント・エンティティの前記ドキュメントに適用されるように操作することができる、（第２６）に記載のインタフェース。
（第３４）
前記ページ・エンティティと前記第一のドキュメント・エンティティの前記ドキュメントの少なくとも１ページの中の１ページとの前記関連付けは、前記ページ属性を前記少なくとも１ページの中の前記１ページに適用されるように操作することができる、（第２６）に記載のインタフェース。
（第３５）
前記第一のドキュメント・エンティティの少なくとも一つと前記ドキュメント・チケット・エンティティの少なくとも一つとの関連付けを表現するジョブ・エンティティであって、前記ジョブ・エンティティは前記ディスプレイ上で第四の視覚的表現と関連付けられている、ジョブ・エンティティをさらに備える、（第２６）に記載のインタフェース。
（第３６）
前記ジョブ・エンティティは、前記第一のドキュメント・エンティティの前記少なくとも一つおよび前記ドキュメント・チケット・エンティティの前記少なくとも一つと、前記ページ・エンティティの少なくとも一つとの関連付けをさらに表現する、（第３５）に記載のインタフェース。
（第３７）
前記ジョブ・エンティティは、ドキュメント生産を制御するように操作することができるジョブ属性をさらに含む、（第３５）に記載のインタフェース。
（第３８）
前記第四の視覚的表現をユーザが操作すると、前記関連付けられたエンティティも操作される、（第３５）に記載のインタフェース。
（第３９）
前記ユーザの操作には、切り取り、コピー、貼り付け、記憶、削除、印刷からなる群から選択された動作が含まれる、（第３８）に記載のインタフェース。
（第４０）
一連の順序づけられた、ドキュメント生産動作を表現するワークフロー・エンティティであって、前記ワークフロー・エンティティは前記ディスプレイ上で第四の視覚的表現と関連付けられ、前記第一のドキュメント・エンティティと関連付けされることができる、ワークフロー・エンティティをさらに備える、（第２６）に記載のインタフェース。
（第４１）
前記ワークフロー・エンティティは、前記第一のドキュメント・エンティティと前記ドキュメント・チケット・エンティティとの関連付けと、関連付けることがさらにできる、（第４０）に記載のインタフェース。
（第４２）
前記ワークフロー・エンティティと前記第一のドキュメント・エンティティとの関連付けにより、前記第一のドキュメント・エンティティでの前記ドキュメントに関して、前記ドキュメント生産動作の実行が行われる、（第４０）に記載のインタフェース。
（第４３）
前記ページ属性には、注釈付け、組付け、媒体の種類、媒体のソース、媒体の特性、両面か片面か(plex)、装丁、マスキングからなる群から選択された属性を含む、（第２６）に記載のインタフェース。
（第４４）
前記グローバルなドキュメント属性には、注釈付け、組付け、媒体の種類、媒体のソース、媒体の特性、両面か片面か(plex)、装丁、マスキングからなる群から選択された属性を含む、（第２６）に記載のインタフェース。
（第４５）
前記ページ・エンティティを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページ・エンティティを生成し、それを、前記少なくとも１ページの中の１ページまたはそれを越えるページの各々と前記対応するドキュメント・エンティティに関連付ける、第二のユーザ入力デバイスをさらに備える、（第２６）に記載のインタフェース。
（第４６）
前記第二のユーザ入力デバイスには、前記ディスプレイ上に表現され、前記第一のユーザ入力デバイスと結合するメニューを含む、（第４５）に記載のインタフェース。
（第４７）
前記第二のユーザ入力デバイスには、前記ディスプレイ上に表現され、前記第一のユーザ入力デバイスと結合するダイアローグ・ボックスを含む、（第４５）に記載のインタフェース。
（第４８）
前記第二のユーザ入力デバイスは、前記少なくとも１ページの中の前記１ページまたはそれを越えるページの第四の視覚的表現の上に前記第三の視覚的表現をドラッグ・アンド・ドロップすることで前記選択を可能にするようにさらに動作させることができる、（第４５）に記載のインタフェース。
（第４９）
前記ドキュメントはプリンタ用ファイル形式で符号化されている、（第２６）に記載のインタフェース。
（第５０）
前記プリンタ用ファイル形式は、ポータブル・ドキュメント・フォーマット、ポストスクリプト、そしてプリンタ制御言語からなる群から選択された形式である、（第４９）に記載のインタフェース。
（第５１）
生産印刷ワークフローの制御方法において、（ａ）ドキュメントの第一の視覚的表現をディスプレイに表示し、（ｂ）前記ドキュメントと関連付けられることができるグローバルなドキュメント属性の第二の視覚的表現を前記ディスプレイ上に表示し、（ｃ）前記第一の視覚的表現を前記第二の視覚的表現と選択的に関連付け、（ｄ）（ｃ）に基づき、前記グローバルなドキュメント属性を前記ドキュメントに適用するように、前記グローバルなドキュメント属性を前記ドキュメントにリンクすることを備える、制御方法。
（第５２）
前記ドキュメントはさらに１ページまたはそれを越えるページを含み、前記方法は、（ｅ）前記１ページまたはそれを越えるページの中の１ページに関連付けることができるページ属性の第三の視覚的表現を前記ディスプレイ上に表示し、（ｆ）前記第三の視覚的表現を前記第一の視覚的表現に選択的に関連付け、（ｇ）（ｆ）に基づき、前記ページ属性が前記１ページまたはそれを越えるページの中の対応する１ページに適用されるように、前記ページ属性を前記１ページまたはそれを越えるページの中の前記対応する１ページにリンクさせることをさらに備える、（第５１）に記載の方法。
（第５３）
前記ページ属性には、注釈付け、組付け、媒体の種類、媒体のソース、媒体の特性、両面か片面か(plex)、装丁、マスキングからなる群から選択された属性を含む、（第５２）に記載の方法。
（第５４）
（ｃ）は、前記第二の視覚的表現を前記第一の視覚的表現にドラッグ・アンド・ドロップすることをさらに含む、（第５１）に記載の方法。
（第５５）
（ｅ）（ｃ）に基づき、前記関連付けの第三の視覚的表現を表示することをさらに備える、（第５１）に記載の方法。
（第５６）
前記第三の視覚的表現は階層的な表示を含む、（第５５）に記載の方法。
（第５７）
（ｅ）前記ドキュメントで実行される一組の手順に対する第三の視覚的表現を前記ディスプレイ上に表示し、（ｆ）前記第一の視覚的表現を前記第三の表現と選択的に関連付け、（ｇ）（ｆ）に基づき、前記ドキュメントで前記一組の手順を実行することをさらに備える、（第５１）に記載の方法。
（第５８）
前記ドキュメントはプリンタ用ファイル形式で符号化されている、（第５１）に記載の方法。
（第５９）
前記プリンタ用ファイル形式は、ポータブル・ドキュメント・フォーマット、ポストスクリプト、そしてプリンタ制御言語からなる群から選択された形式である、（第５８）に記載の方法。
（第６０）
前記（ａ）から（ｄ）はグラフィック・ユーザ・インタフェースにより実現される、（第５１）に記載の方法。
（第６１）
前記グラフィック・ユーザ・インタフェースはオブジェクト指向である、（第６０）に記載の方法。
（第６２）
生産印刷ワークフローをインタフェースし制御するシステムにおいて、内容と前記内容をフォーマッティングするフォーマッティング指令を受け取る手段で、前記フォーマッティング指令は前記内容を１ページまたはそれを越えるページに細分する指令手段を含む、受け取り手段と、出力デバイスへの前記内容の出力を制御する出力指令を受け取る手段と、ディスプレイ上に第一の操作可能なオブジェクトとして、前記内容と前記フォーマッティング指令を表現する手段と、前記ディスプレイ上に第二の操作可能なオブジェクトとして、前記出力指令を表現する手段と、前記出力指令を前記内容とフォーマッティング指令に関連付けるために、前記第一の操作可能なオブジェクトを前記第二の操作可能なオブジェクトに選択的に関連付ける手段と、前記ディスプレイ上に第三の操作可能なオブジェクトとして、前記関連付けを表現する手段。
（第６３）
前記１ページまたはそれを越えるページの１ページのフォーマッティングを制御する個々のページ・フォーマッティング偏差(deviation)指令を受け取る手段と、前記ディスプレイ上に第四の操作可能なオブジェクトとして、前記個々のページフォーマッティング偏差指令を表現する手段と、前記個々のページ・フォーマッティング偏差指令を前記１ページまたはそれを越えるページに関連付けるために、前記第四の操作可能なオブジェクトを前記第一の操作可能なオブジェクトに選択的に関連付ける手段とを、さらに備える、（第６２）に記載のシステム。